(57)【特許請求の範囲】
【請求項１】
コードで吊り下げることができるソケットと影絵投影用のフレームを備え、
前記フレームがソケット取り付け部と、ソケット取り付け部から垂れ下がる複数本の脚部と、脚部を連結するように設けた造影用の絵柄部から成り、
脚部を線材で形成するとともに、脚部の間を通して絵柄部を直視できるように構成し、
ソケット取り付け部にソケットを取り付け、ソケットのコードでフレームを吊り下げ、
ソケットに装着した電球を点灯して、絵柄部を電球の下方に投影するようにした影絵投影具の製造方法であって、
絵柄部が脚部を連結するリング状の枠と、枠に溶接して固着した複数個の絵柄体から成り、枠及び絵柄体が曲げ加工した線材で構成したことを特徴とする影絵投影具の製造方法。
【請求項２】
コードで吊り下げることができるソケットと影絵投影用のフレームを備え、
前記フレームがソケット取り付け部と、ソケット取り付け部から垂れ下がる複数本の脚部と、脚部を連結するように設けた造影用の絵柄部から成り、
脚部を線材で形成するとともに、脚部の間を通して絵柄部を直視できるように構成し、
ソケット取り付け部にソケットを取り付け、ソケットのコードでフレームを吊り下げ、
ソケットに装着した電球を点灯して、絵柄部を電球の下方に投影するようにした影絵投影具の製造方法であって、
ソケット取り付け部がネジ穴を有するリング形状を有し、
ソケットの底面外側に中空ボルトを立てて固着し、
中空ボルトをソケット取り付け部のネジ穴にねじ込んでソケットをソケット取り付け部から垂れ下げ、
コードを中空ボルトの内部に挿通し、
中空ボルトのネジ穴へのねじ込み位置を上下に調整することにより、ソケットをソケット取り付け部に垂れ下がり位置を調整可能に取り付けたことを特徴とする影絵投影具の製造方法。
【請求項３】
コードで吊り下げることができるソケットに装着した電球を点灯して、絵柄部を電球の下方に投影する影絵投影具用のフレームの製造方法であって、
前記フレームがソケット取り付け部と、ソケット取り付け部から垂れ下がる複数本の脚部と、脚部を連結するように設けた造影用の絵柄部から成り、
脚部を線材で形成するとともに、脚部の間を通して絵柄部を直視できるように構成し、
ソケット取り付け部にソケットを取り付け、ソケットのコードでフレームを吊り下げ、
絵柄部が脚部を連結するリング状の枠と、枠に溶接して固着した複数個の絵柄体から成り、枠及び絵柄体が曲げ加工した線材で構成したことを特徴とする影絵投影具用のフレームの製造方法。
【請求項４】
コードで吊り下げることができるソケットに装着した電球を点灯して、絵柄部を電球の下方に投影する影絵投影具用のフレームの製造方法であって、
前記フレームがソケット取り付け部と、ソケット取り付け部から垂れ下がる複数本の脚部と、脚部を連結するように設けた造影用の絵柄部から成り、
脚部を線材で形成するとともに、脚部の間を通して絵柄部を直視できるように構成し、
ソケット取り付け部にソケットを取り付け、ソケットのコードでフレームを吊り下げ、
ソケット取り付け部がネジ穴を有するリング形状を有し、
ソケットの底面外側に中空ボルトを立てて固着し、
中空ボルトをソケット取り付け部のネジ穴にねじ込んでソケットをソケット取り付け部から垂れ下げ、
コードを中空ボルトの内部に挿通し、
中空ボルトのネジ穴へのねじ込み位置を上下に調整することにより、ソケットをソケット取り付け部に垂れ下がり位置を調整可能に取り付けたことを特徴とする影絵投影具用のフレームの製造方法。
【発明の詳細な説明】
【技術分野】
【０００１】
本発明は、影絵投影具の製造方法及び影絵投影具用のフレームの製造方法に関する。
【背景技術】
【０００２】
影絵投影具の一形式として、特開平１１−１６２２５０号公報には、天井灯の防虫カバーの内側に造影用の絵柄を下向きに配置した影絵投影具が記載されている。
また、特開２００６−３０２７２７号公報には、造影用の絵柄を形成した光透過性の造影シートに光源から光を斜めに照射し、光源の横に立てた影絵投影面に影絵を投影する影絵投影装置が記載されている。
【先行技術文献】
【特許文献】
【０００３】
【特許文献１】特開平１１−１６２２５０号公報
【特許文献２】特開２００６−３０２７２７号公報
【発明の概要】
【発明が解決しようとする課題】
【０００４】
天井灯の防虫カバーの内側に造影用の絵柄を配置した影絵投影具は、天井に取り付けられた防虫カバーに影絵を写し出すので、天井を見上げないと影絵を見ることができない。
また、上記した従来の影絵投影装置は専ら影絵を楽しむだけのもので、装置を使用しないときには片付けないと目障りとなり、装置を設置した部屋の居心地が悪くなったり、装置を置いたテーブルの使い勝手が悪くなる。
【０００５】
本発明は上記した従来の影絵投影手段における不便に鑑みてなされたものであり、床や、床に置いたテーブルに影絵を映し出して見ることができ、かつ影絵投影手段としての用途のほかに装飾用照明器具としても使える影絵投影具及び影絵投影具用のフレームを提供することを目的とする。
【課題を解決するための手段】
【０００６】
請求項１に係る発明は、コードで吊り下げることができるソケットと影絵投影用のフレームを備え、
前記フレームがソケット取り付け部と、ソケット取り付け部から垂れ下がる複数本の脚部と、脚部を連結するように設けた造影用の絵柄部から成り、
脚部を線材で形成するとともに、脚部の間を通して絵柄部を直視できるように構成し、
ソケット取り付け部にソケットを取り付け、ソケットのコードでフレームを吊り下げ、
ソケットに装着した電球を点灯して、絵柄部を電球の下方に投影するようにした影絵投影具の製造方法であって、
絵柄部が脚部を連結するリング状の枠と、枠に溶接して固着した複数個の絵柄体から成り、枠及び絵柄体が曲げ加工した線材で構成したことを特徴とする。
【０００７】
請求項２に係る発明は、コードで吊り下げることができるソケットと影絵投影用のフレームを備え、
前記フレームがソケット取り付け部と、ソケット取り付け部から垂れ下がる複数本の脚部と、脚部を連結するように設けた造影用の絵柄部から成り、
脚部を線材で形成するとともに、脚部の間を通して絵柄部を直視できるように構成し、
ソケット取り付け部にソケットを取り付け、ソケットのコードでフレームを吊り下げ、
ソケットに装着した電球を点灯して、絵柄部を電球の下方に投影するようにした影絵投影具の製造方法であって、
ソケット取り付け部がネジ穴を有するリング形状を有し、
ソケットの底面外側に中空ボルトを立てて固着し、
中空ボルトをソケット取り付け部のネジ穴にねじ込んでソケットをソケット取り付け部から垂れ下げ、
コードを中空ボルトの内部に挿通し、
中空ボルトのネジ穴へのねじ込み位置を上下に調整することにより、ソケットをソケット取り付け部に垂れ下がり位置を調整可能に取り付けたことを特徴とする。
【０００８】
請求項３に係る発明は、コードで吊り下げることができるソケットに装着した電球を点灯して、絵柄部を電球の下方に投影する影絵投影具用のフレームの製造方法であって、
前記フレームがソケット取り付け部と、ソケット取り付け部から垂れ下がる複数本の脚部と、脚部を連結するように設けた造影用の絵柄部から成り、
脚部を線材で形成するとともに、脚部の間を通して絵柄部を直視できるように構成し、
ソケット取り付け部にソケットを取り付け、ソケットのコードでフレームを吊り下げ、
絵柄部が脚部を連結するリング状の枠と、枠に溶接して固着した複数個の絵柄体から成り、枠及び絵柄体が曲げ加工した線材で構成したことを特徴とする。
【０００９】
請求項４に係る発明は、コードで吊り下げることができるソケットに装着した電球を点灯して、絵柄部を電球の下方に投影する影絵投影具用のフレームの製造方法であって、
前記フレームがソケット取り付け部と、ソケット取り付け部から垂れ下がる複数本の脚部と、脚部を連結するように設けた造影用の絵柄部から成り、
脚部を線材で形成するとともに、脚部の間を通して絵柄部を直視できるように構成し、
ソケット取り付け部にソケットを取り付け、ソケットのコードでフレームを吊り下げ、
ソケット取り付け部がネジ穴を有するリング形状を有し、
ソケットの底面外側に中空ボルトを立てて固着し、
中空ボルトをソケット取り付け部のネジ穴にねじ込んでソケットをソケット取り付け部から垂れ下げ、
コードを中空ボルトの内部に挿通し、
中空ボルトのネジ穴へのねじ込み位置を上下に調整することにより、ソケットをソケット取り付け部に垂れ下がり位置を調整可能に取り付けたことを特徴とする。
【発明の効果】
【００１０】
請求項１乃至請求項４に記載の発明によれば、コードで吊り下げたソケットにフレームを取り付けるので、ソケットを床や、床に置いたテーブルの近くまで吊り下げて、電球を点灯することにより床やテーブルにフレームに設けた絵柄部の影絵を投影できる。
脚部を線材で構成し、脚部の間を通して絵柄部を直視できるように構成したので、影絵投影手段としての用途だけでなく、床やテーブル、棚等に置いて装飾用の照明具として使用できる。
【００１１】
請求項１及び請求項３に記載の発明によれば、フレームを構成する脚部および絵柄部を曲げ加工した線材で構成したので、より、装飾効果を高めることができる。また、絵柄がリング状の外枠に囲まれているので、リングに囲まれた纏まり感のある影絵を投影できる。
【００１２】
請求項２及び請求項４に記載の発明によれば、フレームをソケットに簡単に着脱できる。そのため、影絵投影具を仕舞うときはフレームとソケットを別々に分離でき、使い勝手が良い。
また、ソケットに装着する電球と、絵柄部との距離を変えることができるので、床やテーブルに投影される影絵の倍率を調整できる。
【図面の簡単な説明】
【００１３】
【図１】本発明の一実施例に係る影絵投影具を示す斜視図である。
【図２】同影絵投影具のフレームを示す斜視図である。
【図３】同影絵投影具のソケット取り付け部を示す分解斜視図である。
【図４】同影絵投影具と影絵を示す斜視図である。
【実施例】
【００１４】
以下に本発明を図面に基づき説明する。図１には本発明の一実施例に係る影絵投影具１０が示されている。当該影絵投影具１０は、断面円形の金属製線材、若しくは太めの針金を所要形状に曲げ加工して製作されたフレーム２０と、ソケット３０及び電球４０を備えている。
【００１５】
図２に示すように、フレーム２０はリング状のソケット取り付け部２１と、ソケット取り付け部２１から垂れ下がる３本の脚部２２と、中間リング枠２３、リング状の外枠２４、音符形状の絵柄体２５を備え、外枠２４と絵柄体２５が絵柄部を構成している。各脚部２２は、くの字に曲げ加工した線材で構成されている。中間リング２３は３本の脚部２２に被せて脚部２２の折れ曲がり部に溶接して固着されている。絵柄体２５は外枠２４の内側に配列され、溶接により外枠２４に固着されている。また、ソケット取り付け部２１と脚部２２の上端部、脚部２２の下端部と絵柄部の外枠２４もそれぞれ溶接されている。
【００１６】
図３に示すように、ソケット取り付け部２１にはナット２６が溶接されるとともに、内部にネジ穴２１ａが形成されている。一方、ソケット３０の底面にはボルト３１が立っている。このボルト３１は中空構造を有し、ソケット３０の底面に溶接して固着されている。中空ボルト３１をナット２６とソケット取り付け部２１のネジ穴２１ａにはめ込むことにより、ソケット３０とフレーム２０が一体に組み付けられている。ソケット３０の底面から出ているコード３２は中空ボルト３１中に挿通され、ついでナット２６のネジ穴とソケット取り付け部２１のネジ穴２１ａに挿通して外部に引き出されている。また、コード３２にはプラスチック製の保護リング３３が取り付けられている。この保護リング３３はソケット取り付け部２１のネジ穴２１ａに装着されている。
【００１７】
本実施例に係る影絵投影具１０の構造は以上の通りであって、天井からコード３２でソケット３０を床や、床に置いたテーブルの近くまで吊り下げ、ソケット３０に電球４０を装着して点灯すると、図４に示すように、絵柄部２４，２５の外枠２４のリング状の影絵４１と、その内側に絵柄体２５の音符形状の影絵４１が床や、テーブルに映し出される。
【００１８】
本実施例に係る影絵投影具１０は、フレーム２０を構成するソケット取り付け部２１、脚部２２および絵柄部２４，２５を曲げ加工した線材で形成したので、絵柄体２５を脚部２２の間を通して上方から直視でき、かつフレーム２０自体に装飾効果を持たすことができる。そのため、影絵投影手段としての用途だけでなく、床やテーブル、棚等に置いて装飾用の照明具として用いることができる。
【００１９】
また、本実施例に係る影絵投影具１０は、フレーム２０とソケット３０がボルト３１とネジ穴２１ａで組付けられているので、フレーム２０をソケット３０に簡単に着脱できる。そのため、影絵投影具１０を片付けるときはフレーム２０とソケット３０を別々に分離でき、使い勝手が良い。絵柄体２５がリング状の外枠２４に囲まれているので、リング２４に囲まれた纏まり感のある影絵４１を投影できる。
【００２０】
また、ボルト３１のねじ込み位置を上下に調整したり、長短長さのことなるボルト３１をソケットに固着することにより、ソケット３０に装着する電球４０と、絵柄部２４，２５との距離を変えることにより、床やテーブルに投影される影絵４１の倍率を調整することも可能である。
なお、上記実施例では音符形状の絵柄体を用いたが、音符形状の他、アルファベット、ひらがな、カタカナ等の字体、あるいは動物の線図を用いてもよく、また、絵柄体として線材のほか、アルミ薄板や紙等を用いることもできる。
【符号の説明】
【００２１】
１０…影絵投影具
２０…フレーム
２１…ソケット取り付け部
２１ａ…ネジ穴
２２…脚部
２３…リング
２４…外枠
２５…絵柄体
３０…ソケット
３１…中空ボルト
３２…コード
４０…電球
４１…影絵
【図１】
0005938601.tif 000002
【図２】
0005938601.tif 000003
【図３】
0005938601.tif 000004
【図４】
0005938601.tif 000005